(57)【特許請求の範囲】
【請求項１】
フィルム挿入口にカートリッジセット部が設けられた写真自動処理機のネガマスク装置において、カートリッジから分離されたフィルムをフィルム挿入口に案内するためガイドが備えられ、このガイドは、カートリッジセット部の外壁面にヒンジを介して取り付けられて、カートリッジセット部を覆う位置とカートリッジセット部が現れる位置とに回転可能であって、前記ガイドの前端には、このガイドがカートリッジセット部を覆う位置に来た時に前記カートリッジセット部に設けられた段部に係止可能な折り曲げ部が設けられ、ガイドがカートリッジセット部を覆う位置では、前記折り曲げ部が前記段部に係止されて、ガイドのガイド面がフィルム挿入口の下縁と連続するように構成されていることを特徴とする写真自動処理機のネガマスク装置。
【発明の詳細な説明】
【０００１】
【産業上の利用分野】
本発明は、写真自動処理機のネガマスク装置の改良に関するものである。
【０００２】
【従来の技術】
近年、現像処理時以外はカートリッジＣのスプール軸Ｃ１に接続されたまま使用されることを前提とした新しいタイプのフィルムＦが提案されている。かかるフィルムＦを写真自動処理機のネガマスク装置にセットしてプリントする場合には、図６に示すように、スラスト機構付カートリッジセット部６１を備えたネガマスク装置６０が必要となる。
【０００３】
しかし、写真店等での処理作業の流れからすると、フィルム現像後のプリント工程では、カートリッジに接続する前のストリップ状態のフィルム（以下、「ストリップフィルム」という。）ｆを用いてプリントする方が効率的な場合もある。かかる場合、図６に示すように、ストリップフィルムｆをネガマスク装置６０に送り込もうとすると、スラスト機構が邪魔になってネガマスク装置６０のフィルム挿入口６２に挿入しにくく、また、スラスト機構によってストリップフィルムｆが傷付くという問題があった。
【０００４】
そこで、図７に示すように、カートリッジセット部が省略されたストリップフィルム専用のネガマスク装置７０が必要となるが、写真店等の設備負担が大きくなるという問題があった。なお、カートリッジＣに収納されたフィルムＦをストリップフィルム専用のネガマスク装置７０によって処理することも考えられるが、かかるネガマスク装置７０にはスラスト機構が備わっていないので、フィルムＦをフィルム挿入口７１に送り込むことができず、また、フィルムＦの先端だけをカートリッジＣから手動で引出してフィルム挿入口７１に送り込んだ場合には、フィルムＦの後端がカートリッジＣのスプール軸Ｃ１に接続されているので、フィルムＦの搬送抵抗が大きくなり、フィルムＦにダメージを与えるという問題があった。
【０００５】
【発明が解決しようとする課題】
本発明は上記の点に鑑みてなされたものであって、その目的とするところは、カートリッジセット部を備えた装置において、カートリッジセット部に邪魔されることなくストリップフィルムをフィルム挿入口に送り込むことができる写真自動処理機のネガマスク装置を提供することにある。
【０００６】
【課題を解決するための手段】
請求項１の写真自動処理機のネガマスク装置は、 フィルム挿入口にカートリッジセット部が設けられた写真自動処理機のネガマスク装置において、カートリッジから分離されたフィルムをフィルム挿入口に案内するためガイドが備えられ、このガイドは、カートリッジセット部の外壁面にヒンジを介して取り付けられて、カートリッジセット部を覆う位置とカートリッジセット部が現れる位置とに回転可能であって、前記ガイドの前端には、このガイドがカートリッジセット部を覆う位置に来た時に前記カートリッジセット部に設けられた段部に係止可能な折り曲げ部が設けられ、ガイドがカートリッジセット部を覆う位置では、前記折り曲げ部が前記段部に係止されて、ガイドのガイド面がフィルム挿入口の下縁と連続するように構成されていることを特徴とするものである。
【０００７】
【発明の実施例の形態】
写真自動処理機のネガマスク装置は、開閉自在に連結された枠体１，２にフィルム挿入口３及びフィルム排出口４を設け、カートリッジＣに収納されたフィルムＦやストリップフィルムｆをフィルム挿入口３からフィルム排出口４に搬送するための搬送路５を枠体１，２内に設け、この搬送路５に沿ってネガマスク６やスキャナー等を配設して構成されており、ネガマスク装置の各部はコントローラにて制御される。
【０００８】
ネガマスク６の開口６ａは露光光の光軸上に位置し、スキャナーは各フィルムＦ，ｆの各画面情報等を検出するものである。搬送路５には搬送ローラ対５ａ，５ｂ，５ｃが配設され、搬送ローラ対５ａ，５ｂ，５ｃは伝動手段Ｔを介してモータＭによって同期して回転駆動するように構成されている。
【０００９】
フィルム挿入口３近くの搬送路５には各フィルムＦ，ｆの先端を検出して搬送ローラ対５ａ，５ｂ，５ｃを駆動させるためのセンサーＳが配設されている。フィルム挿入口３の手前にはカートリッジセット部７が形成されている。カートリッジセット部７にはスラスト機構８が装着されている。このスラスト機構８にはカートリッジＣのスプール軸に係合してスプール軸を回転させるためのスプール回転シャフト８ａが備わっており、スプール回転シャフト８ａの正転によりフィルムＦをカートリッジＣから繰り出し、スプール回転シャフト８ａの逆転によりフィルムＦをカートリッジＣに巻き取るようになっている。
【００１０】
なお、スプール回転シャフト８ａは伝達機構９及びモータＭ１にて回転駆動するものである。
【００１１】
１０はストリップフィルムｆをフィルム挿入口３に案内するためガイドであって、ガイド本体１０ａの前後両端に折り曲げ部１０ｂ，１０ｃを設けて構成されており、ガイド本体１０ａの表面側にはストリップフィルムｆを滑らせるための平滑かつ滑らかなガイド面１０ｄが形成されている。ガイド１０はカートリッジセット部７の外壁面７ａにヒンジ１１にて取付けられている。
【００１２】
そして、ガイド１０をカートリッジセット部７に向けて倒した時には、ガイド１０の前折り曲げ部１０ｂがカートリッジセット部７の段部７ｂに係止する。これにより、カートリッジセット部７がガイド１０にて覆われると共に、ガイド１０のガイド面１０ｄの先端部がフィルム挿入口３の下縁と連続する（図２、図３）。
【００１３】
一方、ガイド１０を起こして手前に倒すと、カートリッジセット部７が現れてカートリッジセット部７へのカートリッジＣのセットが可能になる（図１、図４及び図５）。
【００１４】
次に、ストリップフィルムｆがガイド１０にて案内されてフィルム挿入口３に挿入された場合のネガマスク装置の動作について説明する。
（１） まず、図２及び図３に示すように、ストリップフィルムｆの先端をガイド１０のガイド面１０ｄに沿ってフィルム挿入口３に挿入する。
（２） そして、ストリップフィルムｆの先端がセンサーＳによって検出されると、搬送用のモーターＭが駆動してストリップフィルムｆがフィルム挿入口３からフィルム排出口４に向けて連続的に順送りされ、この間画像情報等のスキャニングが行われる。
（３） スキャニング終了後、ストリップフィルムｆはフィルム排出口４からフィルム挿入口３に向けて逆送りされる。
（４） 次に、ストリップフィルムｆは１コマ毎に間欠的に順送りされ、ネガマスク６に位置するコマ画像が印画紙にプリントされる。
（５） ストリップフィルムｆの最終コマがプリントされた後、ストリップフィルムｆはそのままフィルム排出口４から排出される。
【００１５】
次に、フィルムＦが収納されたカートリッジＣがカートリッジセット部７にセットされた場合のネガマスク装置の動作について説明する。
（１） スラスト機構８によってカートリッジＣから引き出されたフィルムＦの先端は、フィルム挿入口３に挿入される。
（２） そして、フィルムＦの先端がセンサーＳによって検出されると、搬送用のモーターＭが駆動してフィルムＦがフィルム挿入口３からフィルム排出口４に向けて連続的に順送りされ、この間画像情報等のスキャニングが行われる。
（３） スキャニング終了後、フィルムＦはフィルム排出口４からフィルム挿入口３に向けて逆送りされる。
（４） 次に、フィルムＦは１コマ毎に間欠的に順送りされ、ネガマスク６に位置するコマ画像が印画紙にプリントされる。
（５） フィルムＦの最終コマがプリントされた後、フィルムＦは再び逆送りされてスラスト機構８によってカートリッジＣに巻き戻される。
【００１６】
このようにストリップフィルムｆの処理では、カートリッジＣに収納されたフィルムＦに較べてカートリッジＣへの巻き戻しのための搬送が不要となるので、フィルムの搬送回数が少なくて済み、フィルムのダメージが少なくなる。
【００１７】
【発明の効果】
以上の説明からも明らかなように、本発明にかかる写真自動処理機のネガマスク装置によると、ガイドをカートリッジセット部が現れる位置にガイドを回転させるだけで、カートリッジに収納されたフィルムの処理が可能となり、ガイドでカートリッジセット部を覆う位置に回転させて、ガイドの折り曲げ部をカートリッジセット部の段部に係止させるだけで、ガイドのガイド面がフィルム挿入口の下縁と連続して、ストリップフィルムの処理が可能となり、従って、フィルムを傷めることなく両フィルムの処理が可能であるし、しかもガイドの操作性が良く、写真処理の作業性が向上する。
【図面の簡単な説明】
【図１】本発明の写真自動処理機のネガマスク装置の実施例を示す斜視図
【図２】同実施例のストリップフィルムの送り動作を示す平面図
【図３】同実施例によるストリップフィルムの送り動作を示す側断面図
【図４】同実施例によるカートリッジに収納されたフィルムの送り動作を示す平面図
【図５】同実施例によるカートリッジに収納されたフィルムの送り動作を示す側断面図
【図６】従来例を示す斜視図
【図７】他の従来例を示す斜視図
【符号の説明】
１０ ガイド
Ｆ フィルム
ｆ ストリップフィルム
Ｃ カートリッジ
３ フィルム挿入口
７ カートリッジセット部
７ｂ段部
１０ ガイド
折り曲げ部１０ｂ
【図１】
0003608271.tif 000002
【図２】
0003608271.tif 000003
【図３】
0003608271.tif 000004
【図４】
0003608271.tif 000005
【図５】
0003608271.tif 000006
【図６】
0003608271.tif 000007
【図７】
0003608271.tif 000008